(57)【要約】【課題】  お鏡餅用の販促的な装飾カバーで且つ購入者が飾るときの装飾カバーを提供することにある。【解決手段】  お鏡餅用装飾カバー１０は、開口孔３１を形成して収容部５１を貫通しつつお鏡餅５０を環状に巻装する帯状の本体１１からなり、当該本体１１は、お鏡餅５０の底面側を水平状に被覆する底面被覆部２０と、開口孔３１を有しお鏡餅の平面側を傾斜状に被覆する平面被覆部３０と、お鏡餅５０の背面側を鉛直状に被覆する背面被覆部４０を備える。そして、当該平面被覆部３０のお鏡餅正面側の側縁に左右一対の第１折曲片３２，３２と、当該背面被覆部４０の側縁に左右一対の第２折曲片４２，４２とを備える。【選択図】  図１
0003192598.tif 000002
【実用新案登録請求の範囲】
【請求項１】
餅を収容した収容部と、収容部の下端に収容部底面を外延するフランジ部とを備えたお鏡餅に取り付けるお鏡餅用装飾カバーであって、
当該装飾用カバーは、開口孔を形成して収容部を貫通しつつお鏡餅を環状に巻装する帯状の本体からなり、当該本体は、お鏡餅の底面側を水平状に被覆する底面被覆部と、開口孔を有しお鏡餅の平面側を傾斜状に被覆する平面被覆部と、お鏡餅の背面側を鉛直状に被覆する背面被覆部を備えるとともに、当該平面被覆部のお鏡餅正面側の側縁に左右一対の第１折曲片と、当該背面被覆部の側縁に左右一対の第２折曲片とを備えたことを特徴とするお鏡餅用装飾カバー。
【請求項２】
餅を収容した収容部と、収容部の下端に収容部底面を外延するフランジ部と、フランジ部の平面又は上下面を被覆する台材と、を備えたお鏡餅に取り付けるお鏡餅用装飾カバーであって、
当該装飾用カバーは、開口孔を形成して収容部を貫通しつつお鏡餅を環状に巻装する帯状の本体からなり、当該本体は、お鏡餅の底面側を水平状に被覆する底面被覆部と、開口孔を有しお鏡餅の平面側を傾斜状に被覆する平面被覆部と、お鏡餅の背面側を鉛直状に被覆する背面被覆部を備えるとともに、当該平面被覆部のお鏡餅正面側の側縁に左右一対の第１折曲片と、当該背面被覆部の側縁に左右一対の第２折曲片とを備えたことを特徴とするお鏡餅用装飾カバー。
【請求項３】
請求項１又は２記載のお鏡餅用装飾カバーを取り付けて装飾されたことを特徴とするお鏡餅。
【考案の詳細な説明】
【技術分野】
【０００１】
本願考案は、お鏡餅を装飾するために取り付ける装飾カバー（お鏡餅用装飾カバー）に関するものである。
【背景技術】
【０００２】
お鏡餅は、平たく円形の鏡のように作った餅で、大小２個を重ね、正月に神仏に供え、または吉例の時などに用いられるものである。但し、近年では、餅をそのまま供えると、カビが生えたり、ひび割れが生じたりするために、プラスチック製の容器などに入れたものが広く製造・販売されている。
【０００３】
本願出願人は、数年前からお鏡餅を飾る際に使用する「四方紅」の敷紙をお鏡餅に予めセットして、販売していた（特許文献１）。
それ以前は、四方紅は別添しており、お鏡餅の購入者が必要枚数分を持ち帰る販売方法であったが、必要以上に持ち帰る購入者がいたり、四方紅が売場で散乱するなど改善策が求められていたため、本願出願人の四方紅の敷紙が予めセットされていたお鏡餅は極めて画期的な商品であった。
【先行技術文献】
【特許文献】
【０００４】
【特許文献１】意匠登録第１３９３２７５号公報
【考案の開示】
【考案が解決しようとする課題】
【０００５】
しかし、近年、本願出願人以外にも「四方紅」を直接お鏡餅にセットして販売する方法が増えてきた。そこで、競合する商品との差別化を図ること、さらに見栄えを向上させ、店頭でアピールできる販促的な装飾カバーで且つ購入者（お客様）が飾るときの装飾カバーの提供を目的として、本願考案を完成した。
【課題を解決するための手段】
【０００６】
本願考案に係る第１の考案は、餅を収容した収容部と、収容部の下端に収容部底面を外延するフランジ部とを備えたお鏡餅に取り付けるお鏡餅用装飾カバーであって、当該装飾用カバーは、開口孔を形成して収容部を貫通しつつお鏡餅を環状に巻装する帯状の本体からなり、当該本体は、お鏡餅の底面側を水平状に被覆する底面被覆部と、開口孔を有しお鏡餅の平面側を傾斜状に被覆する平面被覆部と、お鏡餅の背面側を鉛直状に被覆する背面被覆部を備えるとともに、当該平面被覆部のお鏡餅正面側の側縁に左右一対の第１折曲片と、当該背面被覆部の側縁に左右一対の第２折曲片とを備えたことを特徴とするものである。
本願考案に係る第２の考案は、餅を収容した収容部と、収容部の下端に収容部底面を外延するフランジ部と、フランジ部の平面又は上下面を被覆する台材と、を備えたお鏡餅に取り付けるお鏡餅用装飾カバーであって、当該装飾用カバーは、開口孔を形成して収容部を貫通しつつお鏡餅を環状に巻装する帯状の本体からなり、当該本体は、お鏡餅の底面側を水平状に被覆する底面被覆部と、開口孔を有しお鏡餅の平面側を傾斜状に被覆する平面被覆部と、お鏡餅の背面側を鉛直状に被覆する背面被覆部を備えるとともに、当該平面被覆部のお鏡餅正面側の側縁に左右一対の第１折曲片と、当該背面被覆部の側縁に左右一対の第２折曲片とを備えたことを特徴とするものである。
本願考案に係る第３の考案は、上記第１又は第２の考案に係るお鏡餅用装飾カバーを取り付けて装飾されたことを特徴とするお鏡餅である。
【考案の効果】
【０００７】
本願考案によれば、以下のような効果を有する。
（１）本願考案に係るお鏡餅用装飾カバーを取り付けることによって、お鏡餅がこれまでの競合品（お鏡餅）と差別化を図ることができるだけでなく、見栄えも向上し、店頭でアピールできる販促的な装飾カバーで且つ購入者が飾るときの装飾カバーになった。
（２）また、上記販促面等以外にも、第１折曲片を備えることで、お鏡餅の動きを固定するともに、正面からはお鏡餅が隠れることなく、確実に見えることができる。同様に、第２折曲片を備えることで、輸送時等の衝撃に対し歪むことなく、また、お鏡餅にセットされている台材（四方紅等）が上部にあがることを防ぐことができ、背面被覆部の形状を維持することが可能になり、店頭では立体的に見えて、豪華さ・見栄え向上につながる。
（３）なお、本願考案に係るお鏡餅用装飾カバーが飾る場所等にマッチしなければ、お鏡餅用装飾カバーは簡単に取り外しができる。この時、お鏡餅に台材（四方紅等）がセットされている場合には、お鏡餅用装飾カバーを取り外せば、台材（四方紅等）がセットされたお鏡餅をそのまま飾ることができるので、新たに四方紅等の台材をお鏡餅にセットする煩わしさはなくなる。
【図面の簡単な説明】
【０００８】
【図１】本願考案に係るお鏡餅用装飾カバーを説明する説明図（１）。
【図２】本願考案に係るお鏡餅用装飾カバーを説明する説明図（２）。
【考案を実施するための形態】
【０００９】
本考案の実施形態を図面に基づいて説明する。
図１は、本願考案に係るお鏡餅用装飾カバーを示す説明図（１）であり、その使用状態を示す斜視図である。
図１に示すお鏡餅用装飾カバー１０（以下「装飾カバー１０」）は、餅を収容した収容部５１と、収容部５１の下端に収容部底面を外延するフランジ部５２と、フランジ部５２の平面を被覆する台材（四方紅）５３と、を備えたお鏡餅５０に取り付けるものである。
【００１０】
装飾用カバー１０は、開口孔３１を形成して収容部５１を貫通しつつお鏡餅５０を環状に巻装する帯状の本体１１からなり、当該本体１１は、お鏡餅５０の底面側を水平状に被覆する底面被覆部２０と、開口孔３１を有しお鏡餅の平面側を傾斜状に被覆する平面被覆部３０と、お鏡餅５０の背面側を鉛直状に被覆する背面被覆部４０を備える。そして、当該平面被覆部３０のお鏡餅正面側の側縁に左右一対の第１折曲片３２，３２と、当該背面被覆部４０の側縁に左右一対の第２折曲片４２，４２とを備える。
【００１１】
図２は、本願考案に係るお鏡餅用装飾カバーを示す説明図（２）であり、その取付方法を示す説明図である。
まず、図２（ａ）に図示するように、台材（四方紅）５３を備えたお鏡餅５０を、装飾用カバー１０の本体１１（平面被覆部２０）下にセットして、お鏡餅５０の収容部５１を開口孔３１へ貫通する。
【００１２】
次に、図２（ｂ）に図示するように、貫通した収容部５１（フランジ部５２）の底面側へ第１折曲部３２，３２を折り曲げてから、底面被覆部２０でお鏡餅５０の底面側を被覆する。これによって、お鏡餅５０が装飾カバー１０内で固定されて、装飾カバー１０の取り付けが安定する。また、正面からはお鏡餅５０が隠れることなく、確実に見えることができる。
【００１３】
さらに、図２（ｃ）に図示するように、背面被覆部４０でお鏡餅５０の背面側を鉛直状に被覆する。
最後に、図２（ｄ）に図示するように、背面被覆部４０に設けられた第２折曲片４２，４２を背面被覆部４０の内側へ折り曲げる。これによって、輸送時等の衝撃に対し装飾カバー１０が歪むことなく、また、お鏡餅５０にセットされている台材（四方紅）５３が上部にあがることを防ぐことができ、背面被覆部４０の形状を維持することが可能になり、店頭では立体的に見えて、豪華さ・見栄え向上につながる。
【００１４】
なお、図１及び図２では、装飾カバー１０の表面が無地になっているが、この部分に様々な装飾・デザインを施して、販促的で且つお飾り的な装飾カバーとすることは勿論である。
【産業上の利用可能性】
【００１５】
本願考案は、お鏡餅を装飾するために取り付ける装飾カバー（お鏡餅用装飾カバー）として、幅広く利用できる。
【符号の説明】
【００１６】
１０  お鏡餅用装飾カバー（装飾カバー）
１１  本体
２０  底面被覆部
３０  平面被覆部
３１  開口孔
３２  第１折曲片
４０  背面被覆部
４２  第２折曲片
５０  お鏡餅
５１  収容部
５２  フランジ部
５３  台材（四方紅）
【図１】
0003192598.tif 000003
【図２】
0003192598.tif 000004